(57)【要約】      （修正有）【課題】省エネ効果を達成する水冷式エアコンにおける省エネ制御構造を提供する。【解決手段】主に、電源モジュール１と、電源モジュールの一側に設けられ電源モジュールと選択的に電気接続される第１電気回路２と、電源モジュールの他側に設けられ電源モジュールと選択的に電気接続される第２電気回路３とからなる。そのうち、第１電気回路は少なくとも１つの空気循環装置２１に電気接続され、第２電気回路は少なくとも１つの冷却装置３１及び冷却装置の一側に設けられたコンプレッサー３２に電気接続される。冷却装置は、冷却塔のファンモーター３１１及び冷却塔のファンモーターの一側に設けられる少なくとも１つの第２モーター３１２を備える。室内の温度が下がると、電源モジュールによって第２電気回路の電源が切られ、第１電気回路に電気接続された空気循環装置によって引き続き送風される。冷却装置及びコンプレッサーの電源が切られ不要なエネルギー消費が減少することによって省エネによる実用性進歩を達成する。【選択図】図２
0003210244.tif 000002
【実用新案登録請求の範囲】
【請求項１】
電源モジュールと、第１電気回路と、第２電気回路と、からなる水冷式エアコンにおける省エネ制御構造であって、
前記第１電気回路は、前記電源モジュールの一側に設けられ、前記電源モジュールと選択的に電気接続され、前記第１電気回路は少なくとも１つの空気循環装置に電気接続され、
前記第２電気回路は、前記電源モジュールの他側に設けられ、前記電源モジュールと選択的に電気接続され、前記第２電気回路は、少なくとも１つの冷却装置及び前記冷却装置の一側に設けられるコンプレッサーに電気接続され、前記冷却装置は、冷却塔のファンモーター及び前記冷却塔のファンモーターの一側に設けられる少なくとも１つの第２モーターを備えることを特徴とする、水冷式エアコンにおける省エネ制御構造。
【請求項２】
前記電源モジュールには制御部が設けられることを特徴とする、請求項１に記載の水冷式エアコンにおける省エネ制御構造。
【請求項３】
前記電源モジュールの前記制御部の一側に温度センサー部が設けられることを特徴とする、請求項２に記載の水冷式エアコンにおける省エネ制御構造。
【請求項４】
前記空気循環装置は、送風設備及び前記送風設備の一側に設けられる少なくとも１つの第１モーターを備えることを特徴とする、請求項１に記載の水冷式エアコンにおける省エネ制御構造。
【考案の詳細な説明】
【技術分野】
【０００１】
本考案は、水冷式エアコンにおける省エネ制御構造に関し、特に、温度を下げる目的を達成した後、不要な回路を切り空気を循環させることによって、省エネ効果を達成する水冷式エアコンにおける省エネ制御構造に関する。
【背景技術】
【０００２】
気候が変化し、地球の温暖化の問題がますます深刻になるのに伴って、毎年焼け付く夏は耐え難い暑さになるため、人々は空調設備を使用して室内の温度を下げ、快適に過ごそうとする。市場に出回る空調設備は、放熱方法の違いから空冷式エアコンと水冷式エアコンに分けられ、そのうち水冷式エアコンは、コンプレッサーが冷媒で室内の熱を吸収し、熱が水によって室外の冷却塔に運ばれ放熱されるのに対し、空冷式エアコンは、コンプレッサーによって処理された冷媒が金属パイプを通して直接空気に接し熱が交換される。２種類の方法にはそれぞれ長所と短所があるが、大型ショッピングモールまたは駅、センターといった公共の建物のほとんどでは水冷式エアコンが使用されている。さらに、地球温暖化対策に足並みをそろえるため、エアコンで快適さを求めると同時に省エネも目標とされてきた。従来の技術では、送風設備に温度を検出する電源スイッチが設置され、室内の温度が使用者の設定した温度にまで下がると、自動でコンプレッサーの電源が切れてコンプレッサーの稼働が停止することで、省エネ効果が達成された。
【０００３】
しかしながら、上述の温度を検出する電源スイッチは、使用時に以下に挙げる問題と欠点が存在するため改善が必要とされている。
【０００４】
室内の温度が使用者の設定した温度にまで下がると、自動でコンプレッサーの電源が切れコンプレッサーの稼働が停止するが、コンプレッサーが停止すると冷媒も熱を吸収しなくなるため冷媒を冷却する必要はないが、冷却塔ファンや冷却パイプのモーターといった室外の冷却装置は引き続き稼働するため、資源が無駄遣いされ、省エネ効果においても大きく引けを取る。
【考案の概要】
【考案が解決しようとする課題】
【０００５】
本考案は、第１電気回路と第２電気回路の設計によって、室内の空気の循環装置の第１電気回路と室外の冷却装置及びコンプレッサーの第２電気回路を分け、それぞれ独立した回路を備える、水冷式エアコンにおける省エネ制御構造を提供することを目的とする。
【０００６】
さらに、本考案は、電源モジュールの設計によって、室内の温度が使用者の設定した温度にまで下がると、第２電気回路の電源が切れて冷却装置及びコンプレッサーも停止することで、不要なエネルギーの消費を減らし、室内の空気循環のみ続けることで電力を節約することのできる、水冷式エアコンにおける省エネ制御構造を提供することを目的とする。
【課題を解決するための手段】
【０００７】
上述の目的を達成するため、本考案の構造は、主に電源モジュールからなる。前記電源モジュールには、一側に前記電源モジュールと選択的に電気接続される第１電気回路が設けられ、前記第１電気回路は少なくとも１つの空気循環装置に電気接続される。前記電源モジュールの他側には、前記電源モジュールと選択的に電気接続される第２電気回路が設けられ、前記第２電気回路は少なくとも１つの冷却装置及び前記冷却装置の一側に設けられたコンプレッサーに電気接続される。前記冷却装置は、冷却塔のファンモーター及び前記冷却塔のファンモーターの一側に設けられる少なくとも１つの第２モーターを備える。このように、前記空気循環装置及び前記コンプレッサーによって、冷媒が室内の熱を吸収すると共に、前記冷却装置によって冷媒が水で温度を下げる。そのうち、前記冷却塔のファンモーターと前記第２モーターは別々に作動し、前記冷却塔のファンモーターは前記冷却塔のファンを駆動し水の温度を下げると共に、前記第２モーターによって冷却水が冷媒と熱交換を続け、室内の温度が使用者の設定した温度にまで下がると、電源モジュールによって電気接続された室外の冷却装置及びコンプレッサーの第２電気回路の電源が切れ、ファンモーター、第２モーター、コンプレッサーの電源が切れ、不要なエネルギー消費が減少する。第１電気回路にのみ電気が通ることで、空気循環装置によって室内の空気は引き続き循環され、省エネによる実用性進歩を達成する。
【考案の効果】
【０００８】
上述の技術により、従来の温度を検出する電源スイッチに存在する、室内の温度が使用者の設定した温度にまで下がると、コンプレッサーの電源のみが切れ、冷却塔のファンモーター及び冷却パイプのモーターといった室外の冷却装置は引き続き稼働することによるエネルギーの無駄遣いの問題を解決して、本考案の上述した利点による実用進歩性を達成する。
【図面の簡単な説明】
【０００９】
【図１】本考案の好ましい実施例の斜視図である。
【図２】本考案の好ましい実施例の構造ブロック図である。
【図３】本考案の好ましい実施例における第２電気回路の通電を示した図である。
【図４】本考案の好ましい実施例における第２電気回路の断電を示した図である。
【図５】本考案の好ましい実施例の実施図である。
【考案を実施するための形態】
【００１０】
参照した図１と図２は、本考案の好ましい実施例の斜視図及び構造ブロック図であり、図から分かる通り、本考案は電源モジュール１と、第１電気回路２と、第２電気回路３と、からなる。
【００１１】
電源モジュール１には制御部１１が設けられ、制御部１１の一側には温度センサー部１２が設けられる。
【００１２】
電源モジュール１の一側に設けられ、電源モジュール１と選択的に電気接続される第１電気回路２は、少なくとも１つの空気循環装置２１に電気接続され、空気循環装置２１は、送風設備２１１及び送風設備２１１の一側に設けられる少なくとも１つの第１モーター２１２を備える。
【００１３】
電源モジュール１の他側に設けられ、電源モジュール１と選択的に電気接続される第２電気回路３は、少なくとも１つの冷却装置３１及び冷却装置３１の一側に設けられるコンプレッサー３２と電気接続され、冷却装置３１は、冷却塔のファンモーター３１１及び冷却塔のファンモーター３１１の一側に設けられる少なくとも１つの第２モーターを備える。
【００１４】
同時に図１から図５を参照する。図１から図５は、本考案の好ましい実施例の斜視図から実施図である。図から分かる通り、上述の構成部品を組み立てることによって、使用者は制御部１１によって電源モジュール１の温度を設定することができる。温度センサー部１２は室外の送風設備２１１上または送風設備２１１の冷却パイプ上に設けられ、温度センサー部１２によって室内の温度または送風設備２１１内に流れる冷却水の水の温度を感知することができ、温度センサー部１２が感知した温度が使用者が設定した温度にまで達すると、電源モジュール１は第２電気回路３の電源を切り、第２電気回路３と電気接続されたコンプレッサー３２及び冷却水３１の作動を停止させる。第１電気回路２にのみ電気が通ることで、空気循環装置２１は引き続き室内の空気を流動させて循環させることができる。同時に、温度センサー部１２が感知した温度が使用者が設定した温度より高くなると、電源モジュール１は、再び第２電気回路３に接続され、第２電気回路３と電気接続されたコンプレッサー３２及び冷却装置３１は正常に作動し、室内の温度が下げられる。そのうち、送風設備２１１は内部にファンを備え、室内の空気を流動させて循環させることができるが、第１モーター２１２は送風設備２１１に流れる冷却水を流動させ、冷却水が冷媒に流れると温度を下げることができると共に、コンプレッサー３２によって冷媒を加圧し、通じている冷却塔の水と冷媒の熱交換を行うことによって、冷媒の温度を下げることができる。冷却塔のファンモーター３１１を起動することによって、冷却塔のファンを回転させることができ、冷媒と熱交換された水は冷却されると共に、第２モーター３１２によって水を引き続き流動させて冷媒と熱交換させることによって、冷却塔のファンモーター３１１と第２モーター３１２は別々に作動し、互いに連携することで冷媒が室内で吸収された熱を水で室外に運んで放熱する。
【００１５】
全ての図を参照する。図から分かる通り、本考案を使用した場合、従来の技術と比較して、以下に挙げる利点が確実に存在する。
【００１６】
一、 第１電気回路２及び第２電気回路３の設計によって、室内の空気循置２１の第１電気回路２と室外の冷却装置３１及びコンプレッサー３２の第２電気回路３は分けられ、それぞれ独立した回路になる。
【００１７】
二、 電源モジュール１の設計によって、室内の温度が使用者が設定した温度にまで下がると、第２電気回路３の電源が切れ、冷却装置３１及びコンプレッサー３２の電源が切れ、不要なエネルギーの消費を減らし、室内の空気の循環だけを続けることによって省エネを達成することができる。
【符号の説明】
【００１８】
１    電源モジュール
１１    制御部
１２    温度センサー部
２    第１電気回路
２１  空気循環装置
２１１    送風設備
２１２    第１モーター
３    第２電気回路
３１    冷却装置
３１１  冷却塔のファンモーター
３１２  第２モーター
３２    コンプレッサー
【図１】
0003210244.tif 000003
【図２】
0003210244.tif 000004
【図３】
0003210244.tif 000005
【図４】
0003210244.tif 000006
【図５】
0003210244.tif 000007